(57)【要約】【課題】大きさが調整された手書き文字列が汚く表示されないようにすること。【解決手段】実施形態によれば、電子機器は、表示処理手段を具備する。前記表示処理手段は、前記１以上の第１ストロークの入力に応じて、前記１以上の第１ストロークに対応し、それぞれが同一の文字列に対応する複数のストローク群から、ストローク群に対応する文字列のサイズ、又は、ストローク群に対応する文字列を表示するための座標の数、又は、ストローク群に対応する文字列を入力するのに要した時間のいずれか１つが大きい第２ストローク群を優先的に前記画面上に表示するための処理を実行する。【選択図】    図５
2015179329.tif 000002
【特許請求の範囲】
【請求項１】
手書きによって入力される１以上の第１ストロークを画面上に表示する表示処理手段を具備し、
前記表示処理手段は、前記１以上の第１ストロークの入力に応じて、前記１以上の第１ストロークに対応し、それぞれが同一の文字列に対応する複数のストローク群から、ストローク群に対応する文字列のサイズ、又は、ストローク群に対応する文字列を表示するための座標の数、又は、ストローク群に対応する文字列を入力するのに要した時間のいずれか１つが大きい第２ストローク群を優先的に前記画面上に表示するための処理を実行する電子機器。
【請求項２】
前記第２ストローク群は、前記複数のストローク群のうち、ストローク群に対応する文字列のサイズが最大のストローク群である
請求項１に記載の電子機器。
【請求項３】
前記第２ストローク群は、前記複数のストローク群のうち、ストローク群に対応する文字列を表示するための座標の数が最大のストローク群である、
請求項１に記載の電子機器。
【請求項４】
前記複数のストローク群の内に、ユーザによって登録処理された第３ストローク群がある場合、前記表示処理手段は、前記第２ストローク群よりも前記第３ストローク群を優先的に前記画面上に表示する、
請求項１に記載の電子機器。
【請求項５】
前記複数のストローク群の内に、ユーザによって登録処理された第３ストローク群がある場合、前記表示処理手段は、前記第３ストローク群よりも、ストローク群に対応する文字列のサイズ、又は、ストローク群に対応する文字列を表示するための座標の数、又は、ストローク群に対応する文字列を入力するのに要した時間のいずれか１つが大きい第２ストローク群を優先的に前記画面上に表示するための処理を実行する
請求項１に記載の電子機器。
【請求項６】
手書きによって入力される１以上の第１ストロークを画面上に表示し、
前記１以上の第１ストロークの入力に応じて、前記１以上の第１ストロークに対応し、それぞれが同一の文字列に対応する複数のストローク群から、ストローク群に対応する文字列のサイズ、又は、ストローク群に対応する文字列を表示するための座標の数、又は、ストローク群に対応する文字列を入力するのに要した時間のいずれか１つが大きい第２ストローク群を優先的に前記画面上に表示する、
方法。
【請求項７】
前記第２ストローク群は、前記複数のストローク群のうち、ストローク群に対応する文字列のサイズが最大のストローク群である、
請求項６に記載の方法。
【請求項８】
前記第２ストローク群は、前記複数のストローク群のうち、ストローク群に対応する文字列を表示するための座標の数が最大のストローク群である、
請求項６に記載の方法。
【請求項９】
前記複数のストローク群の内に、ユーザによって登録処理された第３ストローク群がある場合、前記第２ストローク群よりも前記第３ストローク群を優先的に前記画面上に表示する、
請求項６に記載の方法。
【請求項１０】
前記複数のストローク群の内に、ユーザによって登録処理された第３ストローク群がある場合、前記第３ストローク群よりも、ストローク群に対応する文字列のサイズ、又は、ストローク群に対応する文字列を表示するための座標の数、又は、ストローク群に対応する文字列を入力するのに要した時間のいずれか１つが大きい第２ストローク群を優先的に前記画面上に表示するための処理を実行する
請求項６に記載の方法。
【請求項１１】
コンピュータによって実行されるプログラムであって、
手書きによって入力される１以上の第１ストロークを画面上に表示する手順と、
前記１以上の第１ストロークの入力に応じて、前記１以上の第１ストロークに対応し、それぞれが同一の文字列に対応する複数のストローク群から、ストローク群に対応する文字列のサイズ、又は、ストローク群に対応する文字列を表示するための座標の数、又は、ストローク群に対応する文字列を入力するのに要した時間のいずれか１つが大きい第２ストローク群を優先的に前記画面上に表示する手順とを、
前記コンピュータに実行させるプログラム。
【請求項１２】
前記第２ストローク群は、前記複数のストローク群のうち、ストローク群に対応する文字列のサイズが最大のストローク群である、
請求項１１に記載のプログラム。
【請求項１３】
前記第２ストローク群は、前記複数のストローク群のうち、ストローク群に対応する文字列を表示するための座標の数が最大のストローク群である、
請求項１１に記載のプログラム。
【請求項１４】
前前記複数のストローク群の内に、ユーザによって登録処理された第３ストローク群がある場合、前記第２ストローク群よりも前記第３ストローク群を優先的に前記画面上に表示する、
請求項１１に記載のプログラム。
【請求項１５】
前記複数のストローク群の内に、ユーザによって登録処理された第３ストローク群がある場合、前記第３ストローク群よりも、ストローク群に対応する文字列のサイズ、又は、ストローク群に対応する文字列を表示するための座標の数、又は、ストローク群に対応する文字列を入力するのに要した時間のいずれか１つが大きい第２ストローク群を優先的に前記画面上に表示するための処理を実行する、
請求項１１に記載のプログラム。
【発明の詳細な説明】
【技術分野】
【０００１】
実施形態は、手書き文書情報を処理する技術に関する。
【背景技術】
【０００２】
近年、タブレット、ＰＤＡ、スマートフォンといった種々の電子機器が開発されている。この種の電子機器の多くは、ユーザによる入力操作を容易にするために、タッチスクリーンディスプレイを備え、手書きするための機能を有するものもある。そのためユーザは、この電子機器を用いて、テキストや画像だけでなく、手書きの文字や図形も含む文書を作成することができる。
【先行技術文献】
【特許文献】
【０００３】
【特許文献１】特開２００７−２６５１７１号公報
【発明の概要】
【発明が解決しようとする課題】
【０００４】
ところで、ユーザが単語のような文字列を入力するときに、これまでに入力された文字列の履歴を用いてユーザによる入力を補助する方法がある。例えば直前に入力されていた手書き文字列の大きさに応じて、補助により入力された手書き文字列の大きさを調整して表示することが考えられる。大きさが調整された手書き文字列が汚く表示されることがある。
【０００５】
本発明の一形態の目的は、大きさが調整された手書き文字列が汚く表示されないようにすることが可能な電子機器および方法を提供することである。
【課題を解決するための手段】
【０００６】
実施形態によれば、電子機器は、表示処理手段を具備する。前記表示処理手段は、手書きによって入力される１以上の第１ストロークを画面上に表示する。前記表示処理手段は、前記１以上の第１ストロークの入力に応じて、前記１以上の第１ストロークに対応し、それぞれが同一の文字列に対応する複数のストローク群から、ストローク群に対応する文字列のサイズ、又は、ストローク群に対応する文字列を表示するための座標の数、又は、ストローク群に対応する文字列を入力するのに要した時間のいずれか１つが大きい第２ストローク群を優先的に前記画面上に表示するための処理を実行する。
【図面の簡単な説明】
【０００７】
【図１】は実施形態に係る電子機器の外観の一例を示す斜視図。
【図２】図１の電子機器のタッチスクリーンディスプレイ上に手書きされる手書き文書の例を示す図。
【図３】図１の電子機器によって生成される、図２の手書き文書に対応する時系列情報を説明するための例示的な図。
【図４】図１の電子機器のシステム構成の一例を示すブロック図。
【図５】図１の電子機器によって実行される手書きノートアプリケーションプログラムの機能構成の一例を示すブロック図。
【図６】候補ストロークデータベースの一構成例を示す図。
【図７】図１の電子機器によって表示される候補ストロークの例を説明するための図。
【図８】図７の状態においてさらにストロークが入力された場合に図１の電子機器によって新たに表示される候補ストロークの例を説明するための図。
【図９】図１の電子機器によって実行される手書きストローク補完動作を説明するための図。
【図１０】登録されている手書き文字列の一例を示す図。
【図１１】図１０に示す手書き文字列を拡大表示した状態を示す図。
【図１２】登録されている手書き文字列の一例を示す図。
【図１３】図１２に示す手書き文字列を拡大表示した状態を示す図。
【図１４】登録されている手書き文字列の一例を示す図。
【図１５】図１４に示す手書き文字列を拡大表示した状態を示す図。
【図１６】登録されている手書き文字列の一例を示す図。
【図１７】登録されている手書き文字列の一例を示す図。
【図１８】ユーザが手書き文字を登録するための登録画面の一例を示す図。
【図１９】それぞれが同一の文字列を示す複数の手書き文字列の内から手書き文字列を選択するための処理の手順の一例を示すフローチャート。
【発明を実施するための形態】
【０００８】
以下、実施の形態について図面を参照して説明する。
【０００９】
図１は、一実施形態に係る電子機器の外観を示す斜視図である。この電子機器は、例えば、ペン（スタイラス）または指によって手書き入力可能なペン・ベースの携帯型電子機器である。この電子機器は、タブレットコンピュータ、ノートブック型パーソナルコンピュータ、スマートフォン、ＰＤＡ等として実現され得る。以下では、この電子機器がタブレットコンピュータ１０として実現されている場合を想定する。タブレットコンピュータ１０は、タブレットまたはスレートコンピュータとも称される携帯型電子機器である。タブレットコンピュータ１０は、図１に示すように、本体１１とタッチスクリーンディスプレイ１７とを備える。本体１１は、薄い箱形の筐体を有している。タッチスクリーンディスプレイ１７は、本体１１の上面に重ね合わさるように取り付けられている。
【００１０】
タッチスクリーンディスプレイ１７には、フラットパネルディスプレイと、センサとが組み込まれている。センサは、フラットパネルディスプレイの画面上のペンまたは指の接触位置を検出するように構成されている。フラットパネルディスプレイは、例えば、液晶表示装置（ＬＣＤ）であってもよい。センサとしては、例えば、静電容量方式のタッチパネル、電磁誘導方式のデジタイザなどを使用することができる。以下では、デジタイザとタッチパネルの２種類のセンサの双方がタッチスクリーンディスプレイ１７に組み込まれている場合を想定する。
【００１１】
デジタイザは、例えば、フラットパネルディスプレイの画面の下側に配置される。タッチパネルは、例えば、フラットパネルディスプレイの画面上に配置される。このタッチスクリーンディスプレイ１７は、指を使用した画面に対するタッチ操作のみならず、ペン１００を使用した画面に対するタッチ操作も検出することができる。ペン１００は例えばデジタイザペン（電磁誘導ペン）であってもよい。ユーザは、外部オブジェクト（ペン１００又は指）を使用してタッチスクリーンディスプレイ１７上で手書き入力操作を行うことができる。手書き入力操作中においては、画面上の外部オブジェクト（ペン１００又は指）の動きの軌跡、つまり手書きによって入力されるストロークの軌跡がリアルタイムに描画され、これによって各ストロークの軌跡が画面上に表示される。外部オブジェクトが画面に接触されている間の外部オブジェクトの動きの軌跡が１ストロークに相当する。手書きされた文字または図形などに対応する多数のストロークの集合、つまり多数の軌跡（筆跡）の集合が手書き文書を構成する。
【００１２】
本実施形態では、この手書き文書は、イメージデータではなく、各ストロークの軌跡の座標列とストローク間の順序関係とを示す時系列情報として記憶媒体に保存される。この時系列情報の詳細は図３を参照して後述するが、この時系列情報は、複数のストロークが手書きされた順を示し、且つ複数のストロークにそれぞれ対応する複数のストロークデータを含む。換言すれば、この時系列情報は、複数のストロークにそれぞれ対応する時系列のストロークデータの集合を意味する。各ストロークデータは、ある一つのストロークに対応し、このストロークの軌跡上の点それぞれに対応する座標データ系列（時系列座標）を含む。これらストロークデータの並びの順序は、ストロークそれぞれが手書きされた順序つまり筆順に相当する。
【００１３】
タブレットコンピュータ１０は、記憶媒体から既存の任意の時系列情報（手書き文書情報）を読み出し、この時系列情報に対応する手書き文書、つまりこの時系列情報によって示される複数のストロークそれぞれに対応する軌跡を画面上に表示することができる。さらに、タブレットコンピュータ１０は編集機能を有している。この編集機能は、「消しゴム」ツール、「範囲指定」ツール、および他の各種ツール等を用いたユーザによる編集操作に応じて、表示中の手書き文書内の任意のストロークまたは任意の手書き文字等を削除または移動することができる。さらに、この編集機能は、幾つかの手書き操作の履歴を取り消す機能も含んでいる。
【００１４】
さらに、タブレットコンピュータ１０は、筆跡補完（ストローク推薦）機能も有している。この筆跡補完機能は、多くの文字列を手書きによって容易に入力できるようにするために、ユーザの手書き入力操作を補助するための機能である。
【００１５】
次に、図２および図３を参照して、ユーザによって手書きされたストローク（文字、マーク、図形（線図）、表など）と手書き文書との関係について説明する。図３は、ペン１００などを使用してタッチスクリーンディスプレイ１７上に手書きされる手書き文字列の例を示している。
【００１６】
手書き文書では、一旦手書きされた文字や図形などの上に、さらに別の文字や図形などが手書きされるというケースが多い。図２においては、「ＡＢＣ」の手書き文字列が「Ａ」、「Ｂ」、「Ｃ」の順番で手書きされ、この後に、手書きの矢印が、手書き文字「Ａ」のすぐ近くに手書きされた場合が想定されている。
【００１７】
手書き文字「Ａ」は、ペン１００などを使用して手書きされる２つのストローク（「∧」形状の軌跡、「−」形状の軌跡）によって、つまり２つの軌跡によって表現される。最初に手書きされる「∧」形状のペン１００の軌跡は例えば等時間間隔でリアルタイムにサンプリングされ、これによって「∧」形状のストロークの時系列座標ＳＤ１１、ＳＤ１２、…ＳＤ１ｎが得られる。同様に、次に手書きされる「−」形状のペン１００の軌跡も等時間間隔でリアルタイムにサンプリングされ、これによって「−」形状のストロークの時系列座標ＳＤ２１、ＳＤ２２、…ＳＤ２ｎが得られる。
【００１８】
手書き文字「Ｂ」は、ペン１００などを使用して手書きされた２つのストローク、つまり２つの軌跡によって表現される。手書き文字「Ｃ」は、ペン１００などを使用して手書きされた１つのストローク、つまり１つの軌跡によって表現される。手書きの「矢印」は、ペン１００などを使用して手書きされた手書きされた２つのストローク、つまり２つの軌跡によって表現される。
【００１９】
図３は、図２の手書き文字列に対応する時系列情報２００を示している。時系列情報２００は、複数のストロークデータＳＤ１、ＳＤ２、…、ＳＤ７を含む。時系列情報２００内においては、これらストロークデータＳＤ１、ＳＤ２、…、ＳＤ７は、筆跡順に、つまり複数のストロークが手書きされた順に時系列に並べられている。
【００２０】
時系列情報２００において、先頭の２つのストロークデータＳＤ１、ＳＤ２は、手書き文字「Ａ」の２つのストロークをそれぞれ示している。３番目と４番目のストロークデータＳＤ３、ＳＤ４は、手書き文字「Ｂ」を構成する２つのストロークをそれぞれ示している。５番目のストロークデータＳＤ５は、手書き文字「Ｃ」を構成する１つのストロークを示している。６番目と７番目のストロークデータＳＤ６、ＳＤ７は、手書き「矢印」を構成する２つのストロークをそれぞれ示している。
【００２１】
各ストロークデータは、一つのストロークに対応する座標データ系列（時系列座標）、つまり一つのストロークの軌跡上の複数の点それぞれに対応する複数の座標を含む。各ストロークデータにおいては、複数の座標はストロークが書かれた順に時系列に並べられている。例えば、手書き文字「Ａ」に関しては、ストロークデータＳＤ１は、手書き文字「Ａ」の「∧」形状のストロークの軌跡上の点それぞれに対応する座標データ系列（時系列座標）、つまりｎ個の座標データＳＤ１１、ＳＤ１２、…ＳＤ１ｎを含む。ストロークデータＳＤ２は、手書き文字「Ａ」の「−」形状のストロークの軌跡上の点それぞれに対応する座標データ系列、つまりｎ個の座標データＳＤ２１、ＳＤ２２、…ＳＤ２ｎを含む。なお、座標データの数はストロークデータ毎に異なっていてもよい。すなわち、ペン１００の軌跡は等時間間隔でリアルタイムにサンプリングされるので、ストロークの長さが長いほど、あるいはストロークの手書き速度が遅いほど、座標データの数は増加する。
【００２２】
各座標データは、対応する軌跡内のある１点に対応するＸ座標およびＹ座標を示す。例えば、座標データＳＤ１１は、「∧」形状のストロークの始点のＸ座標（Ｘ１１）およびＹ座標（Ｙ１１）を示す。ＳＤ１ｎは、「∧」形状のストロークの終点のＸ座標（Ｘ１ｎ）およびＹ座標（Ｙ１ｎ）を示す。
【００２３】
さらに、各座標データは、その座標に対応する点が手書きされた時点に対応するタイムスタンプ情報Ｔを含んでいてもよい。手書きされた時点は、絶対時間（例えば、年月日時分秒）またはある時点を基準とした相対時間のいずれであってもよい。例えば、各ストロークデータに、ストロークが書き始められた絶対時間（例えば、年月日時分秒）をタイムスタンプ情報として付加し、さらに、ストロークデータ内の各座標データに、絶対時間との差分を示す相対時間をタイムスタンプ情報Ｔとして付加してもよい。
【００２４】
このように、各座標データにタイムスタンプ情報Ｔが追加された時系列情報を使用することにより、ストローク間の時間的関係をより精度よく表すことができる。
【００２５】
さらに、各座標データには、筆圧を示す情報（Ｚ）を追加してもよい。
【００２６】
図３で説明したような構造を有する時系列情報２００は、個々のストロークの筆跡だけでなく、ストローク間の時間的関係も表すことができる。したがって、この時系列情報２００を使用することにより、図２に示すようにたとえ手書き「矢印」の先端部が手書き文字「Ａ」上に重ねてまたは手書き文字「Ａ」に近接して書かれたとしても、手書き文字「Ａ」と手書き「矢印」の先端部とを異なる文字または図形として扱うことが可能となる。なお、タイムスタンプ情報Ｔはオプション情報として使用してもよく、各々がタイムスタンプ情報Ｔを有さない複数のストロークデータを上述の時系列情報として使用しても良い。
【００２７】
さらに、本実施形態では、上述したように、手書き文書は、イメージまたは文字認識結果ではなく、時系列のストロークデータの集合として記憶されるので、手書き文字の言語に依存せずに手書き文字を扱うことができる。よって、本実施形態の時系列情報２００の構造は、使用言語の異なる世界中の様々な国で共通に使用できる。
【００２８】
図４は、タブレットコンピュータ１０のシステム構成を示す。  
タブレットコンピュータ１０は、図４に示されるように、ＣＰＵ１０１、システムコントローラ１０２、主メモリ１０３、グラフィクスコントローラ１０４、ＢＩＯＳ−ＲＯＭ１０５、不揮発性メモリ１０６、無線通信デバイス１０７、エンベデッドコントローラ（ＥＣ）１０８等を備える。
【００２９】
ＣＰＵ１０１は、タブレットコンピュータ１０内の各種モジュールの動作を制御するプロセッサである。ＣＰＵ１０１は、ストレージデバイスである不揮発性メモリ１０６から主メモリ１０３にロードされる各種コンピュータプログラムを実行する。これらプログラムには、オペレーティングシステム（ＯＳ）２０１、および各種アプリケーションプログラムが含まれている。アプリケーションプログラムには、手書きノートアプリケーションプログラム２０２が含まれている。この手書きノートアプリケーションプログラム２０２は、上述の手書き文書を作成および表示する機能、手書き文書を編集する機能、および筆跡補完機能等を有している。
【００３０】
また、ＣＰＵ１０１は、ＢＩＯＳ−ＲＯＭ１０５に格納された基本入出力システム（ＢＩＯＳ）も実行する。ＢＩＯＳは、ハードウェア制御のためのプログラムである。
【００３１】
システムコントローラ１０２は、ＣＰＵ１０１のローカルバスと各種コンポーネントとの間を接続するデバイスである。システムコントローラ１０２には、主メモリ１０３をアクセス制御するメモリコントローラも内蔵されている。また、システムコントローラ１０２は、ＰＣＩ  ＥＸＰＲＥＳＳ規格のシリアルバスなどを介してグラフィクスコントローラ１０４との通信を実行する機能も有している。
【００３２】
グラフィクスコントローラ１０４は、タブレットコンピュータ１０のディスプレイモニタとして使用されるＬＣＤ１７Ａを制御する表示コントローラである。このグラフィクスコントローラ１０４によって生成される表示信号はＬＣＤ１７Ａに送られる。ＬＣＤ１７Ａは、表示信号に基づいて画面イメージを表示する。このＬＣＤ１７Ａ上にはタッチパネル１７Ｂおよびデジタイザ１７Ｃが配置されている。タッチパネル１７Ｂは、ＬＣＤ１７Ａの画面上で入力を行うための静電容量式のポインティングデバイスである。指が接触される画面上の接触位置および接触位置の動き等はタッチパネル１７Ｂによって検出される。デジタイザ１７ＣはＬＣＤ１７Ａの画面上で入力を行うための電磁誘導式のポインティングデバイスである。ペン１００が接触される画面上の接触位置および接触位置の動き等はデジタイザ１７Ｃによって検出される。
【００３３】
無線通信デバイス１０７は、無線ＬＡＮまたは３Ｇ移動通信などの無線通信を実行するように構成されたデバイスである。ＥＣ１０８は、電力管理のためのエンベデッドコントローラを含むワンチップマイクロコンピュータである。ＥＣ１０８は、ユーザによるパワーボタンの操作に応じてタブレットコンピュータ１０を電源オンまたは電源オフする機能を有している。
【００３４】
次に、図５を参照して、手書きノートアプリケーションプログラム２０２の機能構成について説明する。
【００３５】
手書きノートアプリケーションプログラム２０２は、ペン軌跡表示処理部３０１、時系列情報生成部３０２、編集処理部３０３、ページ保存処理部３０４、ページ取得処理部３０５、手書き文書表示処理部３０６、および筆跡補完処理部３０８等を備える。
【００３６】
手書きノートアプリケーションプログラム２０２は、タッチスクリーンディスプレイ１７を用いて入力されるストロークデータを使用することによって、手書き文書（手書きデータ）の作成、表示、編集等を行う。タッチスクリーンディスプレイ１７は、「タッチ」、「移動（スライド）」、「リリース」等のイベントの発生を検出するように構成されている。「タッチ」は、画面上に外部オブジェクトが接触したことを示すイベントである。「移動（スライド）」は、画面上に外部オブジェクトが接触されている間に接触位置が移動されたことを示すイベントである。「リリース」は、画面から外部オブジェクトが離されたことを示すイベントである。
【００３７】
ペン軌跡表示処理部３０１および時系列情報生成部３０２は、タッチスクリーンディスプレイ１７によって発生される「タッチ」または「移動（スライド）」のイベントを受信し、これによって手書き入力操作を検出する。「タッチ」イベントには、接触位置の座標が含まれている。「移動（スライド）」イベントにも、移動先の接触位置の座標が含まれている。したがって、ペン軌跡表示処理部３０１および時系列情報生成部３０２は、タッチスクリーンディスプレイ１７から、接触位置の動きの軌跡に対応する座標列を受信することができる。
【００３８】
ペン軌跡表示処理部３０１は、手書きによって入力されるストロークをタッチスクリーンディスプレイ１７の画面上に表示するように構成された表示処理部として機能する。ペン軌跡表示処理部３０１は、タッチスクリーンディスプレイ１７から座標列を受信する。そして、この座標列に基づいて、ペン軌跡表示処理部３０１は、ペン１００等を使用した手書き入力操作によって入力される複数のストロークをタッチスクリーンディスプレイ１７内のＬＣＤ１７Ａの画面上に表示する。
【００３９】
時系列情報生成部３０２は、タッチスクリーンディスプレイ１７から出力される上述の座標列を受信する。この座標列に基づいて、時系列情報生成部３０２は、上述の複数のストロークに対応する複数のストロークデータ（時系列情報）を生成する。これらストロークデータ、つまり各ストロークの各点に対応する座標および各ストロークのタイムスタンプ情報は作業メモリ４０１に一時保存してもよい。
【００４０】
ページ保存処理部３０４は、複数のストロークに対応する複数のストロークデータを含む手書き文書情報を記憶媒体４０２内の手書きノートデータベース４０２Ａに保存する。記憶媒体４０２は、上述したように、タブレットコンピュータ１０内のストレージデバイス、パーソナルコンピュータ１内のストレージデバイス、サーバ２のストレージデバイスのいずれであってもよい。
【００４１】
ページ取得処理部３０５は、記憶媒体４０２から任意の手書き文書情報を読み出す。読み出された手書き文書情報は手書き文書表示処理部３０６に送られる。手書き文書表示処理部３０６は、手書き文書情報を解析し、この解析結果に基づいて、手書き文書情報内の複数のストロークデータによって示される複数のストロークの軌跡を画面上に手書きページとして表示する。
【００４２】
編集処理部３０３は現在表示中の手書き文書（手書きページ）を編集するための処理を実行する。すなわち、編集処理部３０３は、タッチスクリーンディスプレイ１７上でユーザによって行われる編集操作に応じて、表示されている複数のストローク内の１以上のストロークを削除または移動等するための編集処理を実行する。さらに、編集処理部３０３は、編集処理の結果を表示中の手書き文書に反映するためにこの手書き文書を更新する。
【００４３】
ユーザは、「消しゴム」ツール等を使用して、表示されている複数のストローク内の任意のストロークを削除することができる。また、ユーザは、画面上の任意の部分を丸または四角によって囲むための「範囲指定」ツールを使用して、表示されている手書きページ内の任意の部分を範囲指定することができる。
【００４４】
筆跡補完処理部３０８は、上述の筆跡補完機能を実行するように構成された処理部である。筆跡補完処理においては、筆跡補完処理部３０８は、手書きによって入力されるストロークに対応する１以上のストローク群（１以上の第１ストローク）を、過去に入力されたストロークの集合（手書き文書情報）から取得する。そして、筆跡補完処理部３０８は、取得された１以上のストローク群を、入力可能なストロークの候補（候補ストローク）（第２ストローク群）として画面上に表示するための処理を実行する。
【００４５】
換言すれば、筆跡補完処理部３０８は、入力されるストロークと手書き文書情報とに基づいて、ユーザが手書きしようとしているストローク群（手書き文字列）を予測する。そして、筆跡補完処理部３０８は、予測によって得られる幾つかのストローク群（手書き文字列）を候補ストローク（候補手書き文字列）としてユーザに提示する。
【００４６】
例えば、ストローク（手書き文字列）「ａ」が手書きによって入力された場合には、手書きの語「ａｄｄ」または「ａｃｃｅｓｓ」のような候補がユーザに提示されてもよい。もしユーザによって手書きの語「ａｃｃｅｓｓ」が選択されたならば、この手書きの語「ａｃｃｅｓｓ」が、入力された手書き文字列となる。よって、ユーザは、手書きの語「ａｃｃｅｓｓ」のストローク群を容易に入力することが出来る。
【００４７】
手書き文書情報に格納される手書き文字列の言語はどのような言語であってもよい。利用可能な言語の例は、英語、日本語、中国語、および他の様々な言語を含む。英語の文字列に関しては、ストローク群（手書き文字列）は、ブロック体の文字列に対応するストローク群であってもよいし、筆記体の文字列に対応するストローク群であってもよい。筆記体で手書きされた単語は１つのストロークから構成される場合がある。したがって、筆跡補完処理において手書き文書情報から取得されるストローク群は、必ずしも複数のストロークを含んでいる必要は無く、一つのストロークであってもよい。
【００４８】
入力されたストロークに対応するストローク群の例には、入力されたストロークに類似するストロークを含む複数のストロークや、入力されたストロークに類似するストローク部分を含む１つのストロークがある。例えば、先頭のストローク（または先頭のストローク部分）が、入力されたストロークに類似しているストローク群が手書き文書情報から取得される。
【００４９】
入力されたストロークに対応するストローク群を手書き文書情報から容易に取得できるようにするために、筆跡補完処理部３０８は、手書きノートデータベース４０２Ａに格納されているストロークの集合（手書き文書情報）に基づいて、複数のストローク群を有する候補ストロークデータベース４０２Ｂを作成しても良い。
【００５０】
この候補ストロークデータベース４０２Ｂにおいては、例えば、単語のような意味のある文字列単位で、ストローク群（ストロークデータ群）と、このストロークデータ群に対応する文字認識結果（文字列）とが格納されていても良い。
【００５１】
この場合、筆跡補完処理部３０８は、まず、ユーザによって入力されたストロークを文字認識してもよい。そして、筆跡補完処理部３０８は、候補ストロークデータベース４０２Ｂを参照し、この入力されたストロークの文字認識結果（文字列）に前方一致する文字列を見つけ出す。筆跡補完処理部３０８は、見つけ出した文字列に対応するストローク群（ストロークデータ群）を、入力されたストロークに対応するストローク群として候補ストロークデータベース４０２Ｂから取得する。
【００５２】
あるいは、候補ストロークデータベース４０２Ｂにおいては、例えば、単語のような意味のある文字列単位で、ストローク群（ストロークデータ群）と、このストロークデータ群に対応する各ストロークの特徴量とが格納されていても良い。あるストロークの特徴量としては、このストロークの手書き特徴を表すことができる任意の特徴を使用することができる。例えば、特徴量としては、ストロークの形状、ストロークの筆画方向、ストロークの傾斜、等を表す特徴量データを使用しても良い。この場合、筆跡補完処理部３０８は、入力されたストロークの特徴量に類似する特徴量を有するストローク群を候補ストロークデータベース４０２Ｂから取得してもよい。
【００５３】
あるいは、候補ストロークデータベース４０２Ｂにおいては、例えば、単語のような意味のある文字列単位で、ストローク群（ストロークデータ群）と、このストロークデータ群に対応する文字認識結果（文字列）と、このストロークデータ群に対応する各ストロークの特徴量とが格納されていても良い。
【００５４】
筆跡補完処理部３０８は、入力されたストロークと、候補ストロークデータベース４０２Ｂとに基づいて、ユーザが入力しようとしているストローク群を予測する。この予測の処理では、筆跡補完処理部３０８は、入力されたストロークに対応する幾つかのストローク群（手書き文字列等）を候補ストロークデータベース４０２Ｂから取得する。そして、筆跡補完処理部３０８は、これらストローク群を、入力が予測される手書き文字列の候補（候補ストローク）として画面上に表示するための処理を実行する。
【００５５】
図６は、候補ストロークデータベース４０２Ｂの一構成例を示す図である。この候補ストロークデータベース４０２Ｂは、例えば、手書きされたストロークに対応するストロークデータや、手書きノートデータベース４０２Ａを解析することによって生成される。また、手書きノートデータベース４０２Ａは、例えばユーザ毎に生成される。
【００５６】
手書きノートデータベース４０２Ａは、複数の手書き文字列に対応する複数のエントリを含む。各エントリは、例えば、文字列、特徴量及びストロークデータを含む。ある手書き文字列に対応するエントリにおいて、「文字列」は、その手書き文字列に対応するテキスト（文字コード列）を示す。「特徴量」は、その手書き文字列を構成する１以上のストロークに対応する特徴量を示す。「ストロークデータ」は、その手書き文字列を構成する１以上のストロークに対応するストロークデータ（時系列情報）を示す。
【００５７】
「文字列」には、例えば、「ストロークデータ」に示されるストロークデータに文字認識処理を施すことによって得られたテキスト（文字コード列）が設定される。また、「特徴量」には、例えば、「ストロークデータ」に示されるストロークデータを用いて算出された、ストロークの形状やストロークが手書きされた向きに基づく特徴量が設定される。
【００５８】
図７は、入力されるストロークに対応する候補ストロークの例を示す。  
ここでは、編集画面６００上で行われる手書き入力操作によって、手書き文字「ａ」に対応するストローク６１１が入力された場合が想定されている。編集画面６００は、手書き文書（手書きページ）を作成および編集するための画面である。
【００５９】
ストローク６１１が手書きによって入力された場合、筆跡補完処理部３０８は、この入力されたストローク６１１（ここでは手書き文字「ａ」）に対応する幾つかのストローク群（候補ストローク）を候補ストロークデータベース４０２Ｂから取得する。そして、筆跡補完処理部３０８は、これらストローク群それぞれを編集画面６００上の候補ストロークリスト５０１上に表示する。
【００６０】
入力されたストローク６１１は「未確定ストローク（または仮ストローク）」として扱われる。「未確定ストローク」は手書きページにまだ反映されていないストロークを意味する。「未確定ストローク」は筆跡補完対象のストロークであり、このストロークに基づき予測される候補ストロークがユーザに提示される。入力されたストローク６１１が「未確定ストローク（仮ストローク）」であることがユーザに分かるように、ストローク６１１は、現在選択されているペン色とは異なる色、例えば赤色、で表示されるようにしても良い。図７では、赤色のストロークは破線で図示されている。
【００６１】
図７においては、候補ストロークリスト５０１上に、４つのストローク群が候補ストロークとして提示された場合が想定されている。ここでは、４つのストローク群は、手書き文字列「ａｂｉｌｉｔｙ」、手書き文字列「ａｃｃｅｓｓ」、手書き文字列「ａｄａｐｔｏｒ」、手書き文字列「ａｄｄ」を含む。
【００６２】
このように、先頭の手書き文字が「ａ」で始まる幾つかのストローク群（手書き文字列）がユーザに提示される。これらストローク群は、過去にユーザによって手書き入力されたストローク群（手書き文字列）である。
【００６３】
さらに、筆跡補完処理部３０８は、候補ストロークリスト５０１の近くに、「キャンセル」ボタン５０２を表示しても良い。「キャンセル」ボタン５０２は、入力されたストローク（仮ストローク）を「確定ストローク」にするための確定ボタンとして機能する。「確定ストローク」は、手書きページに反映されたストロークを意味する。「確定ストローク」になったストロークは、筆跡補完の対象から除外される。
【００６４】
図８は、入力されるストロークに対応する候補ストロークの別の例を示す。
【００６５】
ここでは、編集画面６００上の手書き入力操作によって、手書き文字「ａ」に対応するストローク６１１が入力された後に、手書き文字「ｐ」に対応するストローク６１２、６１３がさらに入力された場合が想定されている。この場合、候補ストロークリスト５０１の内容が更新される。
【００６６】
すなわち、筆跡補完処理部３０８は、入力されたストローク６１１、６１２、６１３（手書き文字列「ａｐ」）に対応する幾つかのストローク群（候補ストローク）を候補ストロークデータベース４０２Ｂから取得する。そして、筆跡補完処理部３０８は、これらストローク群それぞれを編集画面６００上の候補ストロークリスト５０１上に表示する。
【００６７】
図８では、候補ストロークリスト５０１上に、４つの手書きストローク群、つまり手書き文字列「ａｐｐｌｉｃａｔｉｏｎ」、手書き文字列「ａｐｅｒｔｕｒｅ」、手書き文字列「ａｐｅｘ」、手書き文字列「ａｐｏｌｏｇｙ」が、候補ストロークとして提示された場合が想定されている。
【００６８】
このように、「ａｐ」で始まる幾つかの手書き文字列がユーザに提示される。
【００６９】
ユーザによって候補ストロークリスト５０１上のある候補ストロークが選択された場合、筆跡補完処理部３０８は、選択された候補ストロークに対応するストローク群（第２ストローク群）を編集画面６００上に表示する。換言すれば、筆跡補完処理部３０８は、入力された手書きストロークを、選択された候補ストロークに対応するストローク群で補完する。これにより、ユーザは目的の単語の一部を手書きによって入力するだけで、目的の単語を容易に入力することができる。
【００７０】
また、漢字のように複数のストロークから構成される文字に関しては、ユーザは、これら複数のストロークの一部を手書きによって入力するだけで、この文字を入力することができる。
【００７１】
また筆記体の文字列に関しては、ユーザは、この文字列を構成する一つのストロークの先頭の一部分を手書きによって入力するだけで、この筆記体の文字列を入力することができる。
【００７２】
図９は、入力された手書きストロークを補完する動作を示している。
【００７３】
ここでは、候補ストロークリスト５０１上の手書き文字列「ａｐｐｌｉｃａｔｉｏｎ」が選択された場合が想定されている。手書き文字列「ａｐｐｌｉｃａｔｉｏｎ」がペン１００または指によってタップされと、筆跡補完処理部３０８は、表示処理部（ペン軌跡表示処理部３０１または手書き文書表示処理部３０６）と協同して、選択された手書き文字列「ａｐｐｌｉｃａｔｉｏｎ」を編集画面６００上に表示するための処理を実行する。この場合、入力されたストローク（図８のストローク６１１、６１２、６１３）は選択された手書き文字列「ａｐｐｌｉｃａｔｉｏｎ」で補完される。換言すれば、表示処理部は、入力されたストローク（図８のストローク６１１、６１２、６１３）の代わりに、選択された手書き文字列「ａｐｐｌｉｃａｔｉｏｎ」を編集画面６００上に表示する。
【００７４】
そして、選択された手書き文字列「ａｐｐｌｉｃａｔｉｏｎ」は確定ストロークとなり、編集中の手書きページに反映される。つまり、候補ストロークデータベース４０２Ｂから取得された「ａｐｐｌｉｃａｔｉｏｎ」のストロークデータ群が手書きページに加えられる。なお、もし手書き文字列「ａｐｐｌｉｃａｔｉｏｎ」が筆記体で記述されたストローク群である場合には、手書き文字列「ａｐｐｌｉｃａｔｉｏｎ」に対応する１個のストロークデータが手書きページに加えられる。
【００７５】
このように、筆跡補完処理においては、手書きによって入力されたストローク（仮ストローク）に対応する幾つかの手書き文字列が候補ストロークとしてユーザに提示される。そして、選択された候補ストローク（手書き文字列）が仮ストロークに代えて編集画面６００上に表示される。
【００７６】
しかし、各候補ストロークは過去に手書きによって入力されたストローク群（手書き文字列）であるので、各候補ストローク（手書き文字列）のサイズや文字間隔は、ユーザが書こうとしている文字列のサイズや文字間隔と異なる場合がある。したがって、選択された候補ストロークを編集画面６００上に単純に表示したならば、ユーザにとって違和感のあるサイズまたは文字間隔を有する候補ストローク（手書き文字列）が入力されてしまう可能性がある。
【００７７】
選択された候補ストローク（手書き文字列）のサイズを仮ストロークのサイズに応じて変更（リサイズ）するという方法を採用することも考えられる。しかし、仮ストロークは選択された候補ストローク（手書き文字列）によって置き換えられる。このため、筆跡補完処理が実行された場合には、選択された候補ストロークによって後続される手書き文字列は、仮ストロークではなく、この仮ストロークよりも前に既に入力されている手書き文字列となる。さらに、仮ストロークのサイズは、この仮ストロークよりも前に既に入力されている手書き文字列のサイズ、例えば、仮ストロークの直前の手書き文字列のサイズと一致するとは限らない。したがって、選択された候補ストローク（手書き文字列）のサイズを仮ストロークのサイズに応じて変更するという方法では、選択された候補ストロークを適正なサイズにすることは難しい。
【００７８】
そこで、本実施形態では、筆跡補完処理部３０８は、選択された候補ストローク（手書き文字列）のサイズを、仮ストロークのサイズではなく、仮ストロークが入力される前に手書きによって入力された手書き文字列のサイズ、例えば、仮ストロークの直前の手書き文字列のサイズ、に基づいて調整するように構成されている。すなわち、筆跡補完処理部３０８は、上述の表示処理部と協同して、選択された候補ストローク（手書き文字列）を、仮ストロークの代わりに、第１のサイズで編集画面６００上に表示するための処理を実行する。この第１のサイズは、仮ストロークのサイズではなく、仮ストロークが入力される前に手書きによって入力された手書き文字列のサイズに応じて定められる。
【００７９】
仮ストロークの直前の手書き文字列は、仮ストロークが入力された行（ライン）と同じ行に既に入力されている手書き文字列であってもよい。また、もし仮ストロークが行の先頭に位置する場合には、仮ストロークが入力された行の１つ前の行に既に入力されている手書き文字列を仮ストロークの直前の手書き文字列として使用しても良い。
【００８０】
ところで、登録時の手書き文字列が図１０に示すように小さい場合、登録された手書き文字列を単純に拡大表示すると、図１１に示すようにノイズが目立ち文字が汚くなってしまう。
【００８１】
図１３は、図１２に示す手書き文字列を拡大表示したものである。図１２に示す手書き文字列の座標点数が少ないために、図１３に示す手書き文字列には、破線で囲んだ部分に角が出てしまう。
【００８２】
そのため、一つの文字列に対して、複数のストロークデータ群が登録されている場合、筆跡補完処理部３０８は、複数のストロークデータ群の内で描画サイズ（ストローク群に対応する文字列のサイズ）の大きいストロークデータ群を選択する。そして、表示する。ここで、描画サイズとは、手書き文字列の外接矩形の大きさのことである。
【００８３】
図１５は、図１４に示す手書き文字列を拡大表示したものである。図１５に示すように、手書き文字列には、ノイズが目立ったり、角が出たりすることがない。
【００８４】
なお、同じ描画サイズでも、ゆっくり書かれると座標点が密になる。拡大されたときに、図１３に示す手書き文字列「book」のように角が目立つか目立たないかは登録時の文字サイズのほかに、座標点の多さにも依存する。
【００８５】
例えば、図１６に示す手書きストロークの軌跡の外接矩形と、図１７に示す手書きストロークの軌跡の外接矩形とは同じ際である。しかし、図１７に示す手書きストロークを表示するための座標点数は、図１６に示す手書きストロークを表示するための座標点数より多い。図１７に示すストロークを拡大しても、滑らかに表示される。従って、描画サイズが同じ手書き文字列が手書きノートデータベース４０２Ａに登録されている場合、座標点数が多いものを選択する。
【００８６】
また、各座標データが、その座標に対応する点が手書きされた時点に対応するタイムスタンプ情報Ｔを含んでいる場合、タイムスタンプ情報に基づいて入力するのに要した時間が最大の手書き文字列を選択しても良い。
【００８７】
なお、一つの文字列に対して、複数のストロークデータ群が登録されている場合、筆跡補完処理部３０８は、描画サイズが最大の手書き文字列、手書き文字列を表示するためのデータに含まれる座標の数が最大の手書き文字列、および手書き文字列を入力するのに要した時間が最大の手書き文字列の何れかの手書き文字列を選択するようにしても良い。
【００８８】
また、筆跡補完処理部３０８は、ストローク群に対応する文字列のサイズ、又は、ストローク群に対応する文字列を表示するための座標の数、又は、ストローク群に対応する文字列を入力するのに要した時間のいずれか１つが大きい第２ストローク群を優先的に前記画面上に選択しても良い。
【００８９】
また、候補ストロークデータベース４０２Ｂのうちの複数のストローク群のうちに文字登録画面からユーザにより登録処理された手書き文字列（第３ストローク群）がある場合、筆跡補完処理部３０８は、手書き文書から取得された手書き文字列（第２ストローク群）よりも、文字登録画面からユーザにより登録処理された手書き文字列を、優先的に選択する。その結果、筆跡補完処理部３０８は、手書き文書から取得された手書き文字列よりも、文字登録画面からユーザにより登録処理された手書き文字列を優先して表示する。登録画面の描画領域を大きめにすることで、手書き文字列の入力描画サイズを大きくする。
【００９０】
なお、候補ストロークデータベース４０２Ｂのうちの複数のストローク群のうちに文字登録画面からユーザにより登録処理された手書き文字列（第３ストローク群）がある場合、筆跡補完処理部３０８は、登録処理された手書き文字列よりも、前記第３ストローク群よりも、ストローク群に対応する文字列のサイズ、又は、ストローク群に対応する文字列を表示するための座標の数、又は、ストローク群に対応する文字列を入力するのに要した時間のいずれか１つが大きい手書き文字列（第２ストローク群）を優先的に選択しても良い。その結果、筆跡補完処理部３０８は、登録処理された手書き文字列よりも、前記第３ストローク群よりも、ストローク群に対応する文字列のサイズ、又は、ストローク群に対応する文字列を表示するための座標の数、又は、ストローク群に対応する文字列を入力するのに要した時間のいずれか１つが大きい手書き文字列（第２ストローク群）を優先的にＬＣＤ１７Ａに表示しても良い。
【００９１】
なお、同一の文字列を示す複数の手書き文字列が、ユーザにより登録処理された手書き文字列の描画サイズより大きい描画サイズを有する第４手書き文字列を有する場合、筆跡補完処理部３０８は、登録処理された手書き文字列の代わりに第４手書き文字列を選択しても良い。また、同一の文字列を示す複数の手書き文字列が、ユーザにより登録処理された手書き文字列を描画するためのデータに含まれる座標点数より多い座標点数を含むデータに対応する第５手書き文字列を含む場合、筆跡補完処理部３０８は、登録処理された手書き文字列の代わりに第５手書き文字列を選択しても良い。また、同一の文字列を示す複数の手書き文字列が、ユ入力するのに要した時間がユーザにより登録処理された手書き文字列をより長い第６手書き文字列を含む場合、筆跡補完処理部３０８は、登録処理された手書き文字列の代わりに第６手書き文字列を選択しても良い。
【００９２】
図１８は、ユーザが手書き文字を登録するための登録画面の一例を示す図である。
【００９３】
手書き文字列を入力するための欄７０１は、単語を入力するための欄７０２および読みを入力するための欄７０２より大きく、手書き文字列が大きく入力されるようになっている。
【００９４】
図１９は、それぞれが同一の文字列を示す複数の手書き文字列の内から手書き文字列を選択するための処理の手順を示すフローチャートである。  
先ず、筆跡補完処理部３０８は、入力された仮ストロークを表示する（ステップＢ１１）。入力された仮ストロークに対応するストロークを候補ストロークデータベース４０２Ｂから取得する（ステップＢ１２）。このステップＳ１２の処理は、入力された仮ストロークと候補ストロークデータベース４０２Ｂとに基づいて、ユーザが入力しようとしている手書きストローク群（手書き文字列）を予測する処理に相当する。そして、筆跡補完処理部３０８は、上述の表示処理部と協同して、候補ストロークの一覧、つまり上述の候補ストロークリスト５０１を画面上に表示する。候補ストロークリスト５０１には、幾つかの手書き文字列が表示される。さらに新たな仮ストロークが入力された場合は（ステップＳ１３のＹＥＳ）、筆跡補完処理部３０８は、最初に入力された仮ストロークと新たな仮ストロークとの組に対応する手書き文字列（候補ストローク）を候補ストロークデータベース４０２Ｂから取得する。
【００９５】
筆跡補完処理部３０８は、ユーザによってある手書き文字列（候補ストローク）が選択されたか否かを判定する（ステップＳ１４）。ユーザによってどの手書き文字列（候補ストローク）も選択されずに「キャンセル」ボタン５０２がユーザによってタップされたならば（ステップＳ１４のＮＯ）、筆跡補完処理部３０８は、入力された仮ストロークを「確定ストローク群」にする（ステップＳ１５）。ステップＳ１５では、筆跡補完処理部３０８は、候補ストロークリスト５０１を画面から消す。
【００９６】
ある手書き文字列（候補ストローク）が選択されたならば（ステップＳ１６のＹＥＳ）、筆跡補完処理部３０８は、選択された手書き文字列に対応する手書き文字列が複数個あるかを判定する（ステップＢ１６）。即ち、筆跡補完処理部３０８は、選択された手書き文字列が示す文字列と同一の文字列を示す手書き文字列が複数個あるかを判定する。複数個ないと判定した場合（ステップＢ１６のＮｏ）、筆跡補完処理部３０８は、上述の表示処理部と協同して、選択された手書き文字列を、仮ストロークの代わりに編集画面上に表示する（ステップＳ１７）。ステップＳ１７では、入力された仮ストロークが、選択された手書き文字列のストローク群に置換される。さらに、選択された手書き文字列のストローク群は確定ストロークとなり、現在作成または編集されている手書きページに反映される。
【００９７】
複数個あると判定した場合（ステップＢ１６のＹｅｓ）、筆跡補完処理部３０８は、それぞれが同一の文字列を示す複数の手書き文字列の内から描画サイズが最も大きい手書き文字列が複数個あるかを判定する（ステップＢ１８）。複数個ないと判定した場合（ステップＢ１８のＮｏ）、筆跡補完処理部３０８は、複数の手書き文字列の内から描画サイズが最も大きい手書き文字列を選択する（ステップＢ１９）。筆跡補完処理部３０８は、上述の表示処理部と協同して、ステップＢ１８において選択された手書き文字列を、仮ストロークの代わりに編集画面上に表示する（ステップＳ１７）。
【００９８】
複数個あると判定した場合（ステップＢ１９のＹｅｓ）、筆跡補完処理部３０８は、複数個ある手書き文字列の内から座標点数が最も多い手書き文字列を選択する（ステップＢ２０）。筆跡補完処理部３０８は、上述の表示処理部と協同して、ステップＢ１９において選択された手書き文字列を、仮ストロークの代わりに編集画面上に表示する（ステップＳ１７）。
【００９９】
手書き文字列を表示する際の倍率が設定倍率より大きくなるような手書き文字列は、候補ストロークリスト５０１内に表示されないようにしてしても良い。手書き文字列を表示する際の拡大倍率が設定倍率より大きくなるような手書き文字列を表示するとノイズが目立ったり、角が出てしまったりするが、そのような手書き文字列を候補ストロークリスト５０１内に表示しないようにすることで、ノイズが目立ったり、角が出てしまったりする手書き文字列を表示しないようにすることができる。
【０１００】
以上説明したように、本実施形態においては、あるストローク（第１ストローク）が手書きによって入力された場合、第１ストロークに対応し、それぞれが同一の文字列を示す複数の第１手書き文字列の内から第２手書き文字列が選択され、第２手書き文字列が前記第１ストロークの代わりに画面上に表示される。複数の第１手書き文字列の内から、描画サイズが最大の手書き文字列、手書き文字列を表示するためのデータに含まれる座標の数が最大の手書き文字列、または手書き文字列を入力するのに要した時間が最大の手書き文字列が、第２手書き文字列として選択される。
【０１０１】
なお、本実施形態の各種処理はコンピュータプログラムによって実現することができるので、このコンピュータプログラムを格納したコンピュータ読み取り可能な記憶媒体を通じてこのコンピュータプログラムをコンピュータにインストールして実行するだけで、本実施形態と同様の効果を容易に実現することができる。
【０１０２】
このコンピュータプログラムがインストールされたコンピュータ内のＣＰＵは上述の筆跡補完処理を実行するように構成されたプロセッサとして機能し得る。このコンピュータ内のＧＰＵはストロークそれぞれを画面上に表示するように構成された表示プロセッサとして機能し得る。
【０１０３】
また、本実施形態では、タブレットコンピュータを使用する場合を例示して説明したが、本実施形態の手書き文書処理機能は、通常のデスクトップパーソナルコンピュータに適用することもできる。この場合、手書き入力のための入力デバイスであるタブレット等をデスクトップパーソナルコンピュータに接続すれば良い。
【０１０４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０５】
１０…タブレットコンピュータ、１７…タッチスクリーンディスプレイ、１００…ペン、１０１…ＣＰＵ、１０３…主メモリ、２０２…手書きノートアプリケーションプログラム、３０１…ペン軌跡表示処理部、３０６…手書き文書表示処理部、３０８…筆跡補完処理部、４０２Ｂ…候補ストロークデータベース
【図１】
2015179329.tif 000003
【図２】
2015179329.tif 000004
【図３】
2015179329.tif 000005
【図４】
2015179329.tif 000006
【図５】
2015179329.tif 000007
【図６】
2015179329.tif 000008
【図７】
2015179329.tif 000009
【図８】
2015179329.tif 000010
【図９】
2015179329.tif 000011
【図１０】
2015179329.tif 000012
【図１１】
2015179329.tif 000013
【図１２】
2015179329.tif 000014
【図１３】
2015179329.tif 000015
【図１４】
2015179329.tif 000016
【図１５】
2015179329.tif 000017
【図１６】
2015179329.tif 000018
【図１７】
2015179329.tif 000019
【図１８】
2015179329.tif 000020
【図１９】
2015179329.tif 000021